(57)【要約】【課題】  カーエアコン用のレシーバドライヤ内の冷媒を大気中に放出するリリーフ弁を設ける。【解決手段】  カーエアコンのレシーバドライヤ１は、本体１０に対して冷媒の流入路４４と流出路４６を有し、冷媒を貯留する。本体１０の端部には、弁室１８４が形成され、通路１８２，１８４を介して大気側に連通する。電磁弁１００のプランジャ１７０は、常時弁座１８０に当接する。センサからの信号によりコイル１２０に給電されると、吸引子１４０はプランジャ１７０を弁座１８０から引き離し、冷媒を大気中に放出する。【選択図】        図１
2005153773.tif 000002
【特許請求の範囲】
【請求項１】
車両用冷房システムに装備されて液相冷媒を一時的に貯留するレシーバドライヤであって、
底部が開口する筒状の本体と、本体の開口部を密封する封止部材とを有し、封止部材に設けられる冷媒の流入口と流出口を有し、本体内部の冷媒を大気中に放出する電磁弁を備えるレシーバドライヤ。
【請求項２】
本体内に連通する通路を有する弁室と、弁室と大気側に連通する通路の間に形成される弁座を備え、電磁弁は、弁座に対して離接されるプランジャを備える請求項１記載のレシーバドライヤ。
【請求項３】
電磁弁は、電磁コイルと、電磁コイルにより磁力を発生する吸引子と、吸引子とプランジャの間に配設されるスプリングを備える請求項１又は２記載のレシーバドライヤ。
【発明の詳細な説明】
【技術分野】
【０００１】
本発明は、車両用冷房システムに用いられる液相冷媒を一時的に貯留するカーエアコン用のレシーバドライヤに関するものである。
【背景技術】
【０００２】
例えば、下記の特許文献１はカーエアコン用のレシーバドライヤを開示する。
下記の特許文献１に示されたレシーバドライヤは、下部が開口する有底の筒状の本体と、本体内に具備される乾燥部材と、本体の開口部を密封する封止部材となるヘッド部材とを有し、ヘッド部材に設けられる冷媒の流入口及び流出口を備えるものである。
【０００３】
かかる従来のレシーバドライヤにあっては、冷媒は筒状のレシーバドライヤの底部から流入してフィルタ部材と乾燥部材を通過することによって、水分と混入物を除かれ、底部の流出口から送出されるので、冷媒の流出入パイプのレイアウトが簡素化される。
【０００４】
最近の冷凍サイクルに用いられる冷媒は、環境に与える負荷が小さい特性が要求される。しかしながら、冷媒の種類によっては、人体に有害なもの又は引火性を有するものがある。
この種の冷媒を使用する冷凍サイクルにあっては、ガス漏れにより室内に冷媒が充満した場合や、自動車の衝突時等でガス漏れが発生した場合等の異常時には、速やかに冷媒を大気中に放出する必要がある。
かかる異常時には、冷媒を大気中に放出する冷凍サイクルが非特許文献１に示されている。
【特許文献１】特開平７−１９０５６７号公報
【非特許文献１】Ｊｕｌｙ１５−１７２００３  ＳＡＥ  Ａｕｔｏｍｏｔｉｖｅ  Ａｌｔｅｒｎａｔｅ  Ｒｅｆｒｉｇｅｒａｔｉｏｎ  Ｓｙｓｔｅｍｓ  「Ｒ−１５２ａ  Ｍｏｂｉｌｅ  Ａ／Ｃ  ｗｉｔｈ  Ｄｉｒｅｃｔｅｄ  Ｒｅｌｉｅｆ  Ｓａｆｅｔｙ  Ｓｙｓｔｅｍ」  発表者  Ｍａｈｍｏｕｄ  Ｇｈｏｄｂａｖｅ，Ｐｈ．Ｄ．，Ｊａｍｅｓ  Ａ．Ｂａｋｅｒ，Ｗｉｌｌｉａｍ  Ｒ．Ｈｉｌｌ，ａｎｄ  Ｓｔｅｐｈｅｎ  Ｄ．Ａｎｄｅｒｓｅｎ，Ｐｈ．Ｄ．
【発明の開示】
【発明が解決しようとする課題】
【０００５】
本発明は、レシーバドライヤに電磁弁式のリリーフ弁を設けて、緊急時に冷媒を大気中に放出するものである。
【課題を解決するための手段】
【０００６】
本発明のレシーバドライヤは、底部が開口する筒状の本体と、本体の開口部を密封する封止部材とを有し、封止部材に設けられる冷媒の流入路と流出路を有し、本体内部の冷媒を大気中に放出する電磁弁を備える。
【０００７】
そして、本体内に連通する通路を有する弁室と、弁室と大気側に連通する通路の間に形成される弁座を備え、電磁弁は、弁座に対して離接されるプランジャを備えるものである。
さらに、電磁弁は、電磁コイルと、電磁コイルにより磁力を発生する吸引子と、吸引子とプランジャの間に配設されるスプリングを備えるものである。
【発明の効果】
【０００８】
本発明のレシーバドライヤは上述したように、底部が開口する円筒形の本体と、本体の開口部を封止する封止部材とを備え、封止部に冷媒の流入路と流出路を設けることで、小型軽量化を達成している。
【０００９】
さらに、本体の開口部を封止する封止部材も、本体の開口部を覆う円板状の封止部と、この封止部から本体の軸方向に突出する取付部を有する形状をもつ部材を冷間鍛造によって形成し、加工代を最少限とする素材を形成するので、材料の歩留りが向上し、軽量化を図ることができる。
又、封止部材は円板形状のみで形成することもできる。
【００１０】
また、レシーバドライヤを取り付ける構造が外側に突出しなくても済み、レシーバドライヤの取付スペースを容易に確保できる利点がある。
さらにまた、圧力検知手段に冷媒が直接到達することがなくなり、圧力検知手段の保護を図ることができる。
【発明を実施するための最良の形態】
【００１１】
図１は本発明のレシーバドライヤの一実施例を示す断面図である。
全体を符号１で示すレシーバドライヤは、一端部が開口する有底の円筒状の本体１０を有する。この本体１０は、例えばアルミ合金の素材を冷間鍛造加工により細長い有底円筒形に成形されるものである。アルミ合金は加工性が良いので、例えば底部より外側に延長して設けられるボス部２０も一体に形成することができる。
【００１２】
このボス部２０は、本体１０の外径寸法よりも狭い寸法にて形成されて、材料の節約と軽量化を図る。本体１０の開口部にはアルミ合金製の封止部材４０がアーク溶接加工部ＡＷにより溶接固着される。
【００１３】
封止部材４０は、円盤形状の封止部４１と、封止部４１から突出する一体に形成された角柱状の取付部４２を有し、取付部４２には冷媒の流入路４４と冷媒の流出路４６がそれぞれＬ字形状に設けられ、それぞれパイプ状の端部４４ａ，４６ａを有する。
【００１４】
また、取付部４２に形成される有底のボルト穴を利用して、レシーバドライヤ１は他の機器に固着される。この際に、パイプ状の端部４４ａ，４６ａを相手の機器に挿入することにより、相手の機器への連結を簡略化することができる。
冷媒の流入路４４に連通する封止部材４０の開口部には、パイプ５０の一端部が差し込まれ、パイプ５０の他端部はパイプ支持部材８０を介して本体１０の内部の上端部に当接される。
【００１５】
本体１０の内部には、１対のフィルタ６２，６４により乾燥室が画成され、乾燥剤７０が充填される。上部のフィルタ６２の上面には、第１の押え板６０が配設されてフィルタ６２を支持する。この押え板６０は、例えばメッシュ状の金属板等でつくられる。
第１の押え板６０は、本体内に装備されるパイプ５０に形成されるリング状の膨出部５２により本体１０内に位置決めされる。
【００１６】
下部のフィルタ６４は、第２の押え板６６で下側を支持される。この第２の押え板６６は、本体１０の内側に突出する突起１２により本体１０内部に位置決めされる。突起１２は、円周上の３ヵ所に設けられる。この突起をノッチ加工により形成することにかえて、ローリング加工により内側に突出する溝を用いることもできる。
【００１７】
パイプ支持部材８０は、例えば合成樹脂を成形加工してつくられるものであって、パイプの取付部８４と、着座部８２を有する。
パイプ５０から流入する冷媒は、スリット８８を介して本体１０内に注入される。
【００１８】
ボス部２０には、リリーフ弁として機能する電磁弁１００が取付けられる。
電磁弁１００は、パイプ部材１５０の外周に電磁コイル１２０を有する。パイプ部材１５０の上部には、吸引子１４０が溶接により固定され、電磁コイル１２０を保持するケース１３０がビス１４２を介して吸引子１４０に固定される。
【００１９】
パイプ部材１５０の下端部は、ボス部２０の開口部に挿入され、リング状の押圧部材１６０を介してボス部２０の上端にカシメ部Ｋ１を形成することにより固着される。パイプ部材１５０の下端部にフランジ部を形成して、確実な固着を達成し、また、押圧部材１６０の下にシール部材１６２を挿入してシールを確実にする。さらに、押圧部材１６０の上には弾性部材１６４を挿入してケース１３０との接触を防止する。
【００２０】
パイプ部材１５０の内部には、プランジャ１７０が摺動自在に挿入される。プランジャ１７０と吸引子１４０の間には、スプリング１７２が挿入され、プランジャ１７０を押圧する。
プランジャ１７０の先端には、弁体１７４が取付けられる。この弁体１７４は、プラスチック等の弾性材でつくられ、弁座１８０に対して常時当接する。
【００２１】
レシーバドライヤの本体１０内に連通する通路１８２は、弁室１８４に冷媒を導入する。
一方、弁室１８４は、弁座１８０、通路１８６を介して大気側へ連通する。弁座１８０は、常時はプランジャ１７０の弁体１７４で閉鎖されていて、レシーバドライヤ内の冷媒は大気側へ漏れることはない。
【００２２】
カーエアコンを装備した自動車が衝突等を起こすと、衝撃を検知したセンサからの信号により、コイル１２０に通電される。コイル１２０が発生する磁力を受け、吸引子１４０は、スプリング１７２に抗してプランジャ１７０を吸引する。
プランジャ１７０の移動により、弁体１７４は弁座１８０から離れ、レシーバドライヤ１内の冷媒は、通路１８２、弁室１８４、通路１８６を通って大気側へ放出される。
【００２３】
以上の説明においては、冷媒の流入路４４と流出路４６をＬ字形状に形成される場合について述べたが、本発明はこれに限らず、取付部に垂直に形成してもよいのは勿論である。
【００２４】
図２は図１における本体１０と封止部４０との構成を示し、他の構成は図１と同一であるので、説明を省略した図であり、取付部４１に流入路４４と流出路４６とが垂直方向つまり本体１０の軸線方向に形成されているのである。なお、流出路４６は、そのパイプ５２との接続部は上記軸線方向と垂直に形成され、封止柱４３で封止されている。
【００２５】
さらに上述したセンサに限らず、異常圧力や異常温度をセンサにより検知し、その検知信号でコイル２０に通路してもよいのは勿論である。
【図面の簡単な説明】
【００２６】
【図１】本発明のレシーバドライヤの一実施例を示す断面図。
【図２】本発明のレシーバドライヤの他の実施例の要部の構成を示す断面図。
【符号の説明】
【００２７】
１  レシーバドライヤ
１０  本体
１２  内側へ突出するノッチ加工部
２０  ボス部
４０  封止部材
４１  封止部
４２  取付部
４４  冷媒流入路
４６  冷媒流出路
５０  パイプ
６０  上部押え板
６２  上部フィルタ
６４  下部フィルタ
６６  下部押え板
８０  パイプ支持部材
１００  電磁弁
１２０  コイル
１４０  吸引子
１５０  パイプ部材
１７０  プランジャ
１８０  弁座
１８４  弁室
【図１】
2005153773.tif 000003
【図２】
2005153773.tif 000004